(57)【要約】【課題】出入り口側と室外側の幅が異なる居室空間を有効に使用し、バス空間とトイレ空間をそれぞれ別個に設け、且つ複数個の寝台を収容する。【解決手段】集合型宿泊施設の曲面形状部に設けられた、出入り口側の幅よりも部屋奥側の幅が大きい居室Ｂにおいて、隣り合う居室Ｂとの間を仕切る左右の壁２・２のうち、一方の壁２側に、出入り口側から居室Ａの奥行き方向に、順にトイレ空間８とバス空間９を並べて配置する。他方の壁２までの空間は、寝台空間１１と通路空間１２とする。寝台空間１１にはベッド１８を２台設置する。【選択図】図１
0003136233.tif 000002
【実用新案登録請求の範囲】
【請求項１】
集合型宿泊施設の曲面形状部に設けられた、出入り口側の幅よりも部屋奥側の幅が大きい居室において、
隣り合う居室や共有空間との間を仕切る左右の壁のうち、一方の壁側に、出入り口側から居室の奥行き方向に、順にトイレ空間とバス空間を並べて設け、
トイレ空間とバス空間以外の他方の壁までの空間は、寝台空間及び通路空間とし、
当該寝台空間には、複数個の寝台を配置してなる
複数個の寝台を収容可能な集合型宿泊施設の居室。
【請求項２】
バス空間には、出切り口側から居室の奥行き方向に、順に洗面台とバスタブを並べて配し、
かつ、バスタブはその長手方向を、部屋の幅方向とほぼ平行にしたことを特徴とする
請求項１記載の複数個の寝台を収容可能な集合型宿泊施設の居室。
【考案の詳細な説明】
【技術分野】
【０００１】
本考案は、ホテルや寮などとして使用する集合型宿泊施設に関するもので、特に各居室がバスとトイレを別個に備え、且つ複数個の寝台を収容可能な集合型宿泊施設の居室に関するものである。
【背景技術】
【０００２】
ホテルや寮などとして使用される宿泊施設は、それぞれの居室が、個別のプライバシー空間として使用されるものである。
従って、各居室が個別にトイレやバスを有することが望ましい。
しかしながら、宿泊者を多くするには、出来るだけ各部屋が占める面積を小さくして、多数の居室を、ひとつのフロアに設けることが望まれる。
その手段として、トイレ空間とバス空間を一つにしたユニット形式のバスを使用することが広く採用されている。
このようにバスとトイレを一つの共用空間の中に設けることで、出来る限りその他の空間を大きく取ることが可能となるものである。
【０００３】
しかしながら、このようなバス空間とトイレ空間が一つとなったユニット形式のバスでは、バスタブもトイレも標準よりも小さ目のものが使用されており、ゆったりとした姿勢で入浴や洗面などが行えないという不満があった。
他方、宿泊者の中には、バスとトイレが同じ空間にあるというのには、衛生面でどうにも馴染めない人もいる。
出来れば、バスとトイレは別のスペースに配置して、バスからはトイレが、トイレからバスが見えないようにすることが望ましい。
しかしながら、トイレとバスを別々の空間にすると、部屋の空間をそれだけ広く占めてしまうもので、寝室や簡易の執務室などとしての空間が大きく取れないという課題となっていた。
寝室としての空間を大きく取れないということは、所謂ツインなどと呼ばれる複数個の寝台をひとつの居室内に設けることを、非常に困難にしていた。
【０００４】
他方、集合型宿泊施設としての建造物の中で、外観が円弧を描くように曲面形状を成す建造物が存在する。
このような外観を有する建物では、曲面を描く部分のフロアの形状で、ほぼ同じ大きさの居室を得ようとすれば、曲面の中心点から曲面側に向って延びる半径上に位置した壁によって仕切る必要がある。
つまりは、建物の内側よりも、外側の方が幅が広い、扇状の部屋となるよう壁で仕切ることになる。
このような曲面形状部を有する集合型宿泊施設では、この曲面形状部の形状を生かしたスペースの有効利用が望まれている。
【特許文献１】実開平６−８２３０４号公報
【考案の開示】
【考案が解決しようとする課題】
【０００５】
解決しようとする課題は、出来る限り小さな居室でありながら、バス空間とトイレ空間を別個に備え、それぞれの空間を充分大きくし、且つ複数個の寝台を収納する寝台空間も確保することである。
【課題を解決するための手段】
【０００６】
この考案にかかる複数個の寝台を収容可能な集合型宿泊施設の居室は、
集合型宿泊施設の曲面形状部に設けられた、出入り口側の幅よりも部屋奥側の幅が大きい居室において、
隣り合う居室や共有空間との間を仕切る左右の壁のうち、一方の壁側に、出入り口側から居室の奥行き方向に、順にトイレ空間とバス空間を並べて設け、
トイレ空間とバス空間以外の他方の壁までの空間は、寝台空間及び通路空間とし、
当該寝台空間には、複数個の寝台を配置するものである。
また、本考案にかかる他の複数個の寝台を収容可能な集合型宿泊施設の居室は、
バス空間には、出切り口側から居室の奥行き方向に、順に洗面台とバスタブを並べて配し、
かつ、バスタブはその長手方向を、部屋の幅方向とほぼ平行にしたことを特徴とするものである。
【考案の効果】
【０００７】
この考案は以上のような構成を有するため、以下の効果を得ることが可能である。
＜ａ＞小さな空間でありながら、無駄のない配置と区分けによってバス空間、トイレ空間、寝台及び通路空間を確保したため、寝台空間を大きく取れ、複数個の寝台を収容可能となった。
＜ｂ＞バス空間とトイレ空間を別個にして居室の中に設けたため、衛生的にも、感覚的にも、心地良い滞在空間となる。
＜ｃ＞バス空間とトイレ空間を別個に設けたため、バスタブや便器も比較的大きなサイズを使用でき、入浴、洗面、排便時の使用において、ゆとりのある空間となる。
＜ｄ＞居室の一方の壁側に、出入り口側から居室の奥行き方向に、比較的狭い幅でよいトイレ空間と、より広い幅が必要なバス空間を並べて配置することにより、部屋奥の幅がより大きいという居室の特性を活かした空間活用が可能となる。
＜ｅ＞他方の壁側には、寝台空間と机を並べて配置するため、寝台空間としては、入り口側から部屋奥までの幅がほぼ同じな、ほぼ長方形の無駄の無い空間を確保することが出来、複数個の寝台（ベット）も設置可能となる。
＜ｆ＞バス空間には、バスタブの長手方向を部屋の幅方向とほぼ同じに配置するため、より幅の大きな部屋奥の空間をより有効に活用できる。
＜ｇ＞入浴中にトイレ便器が視覚に入ることがないので、快適な入浴が可能となる。
【考案を実施するための最良の形態】
【０００８】
＜１＞建物のフロア構造
図３において示すのは、建物Ａ外観の全体が円柱状の形状をした建物の、一部階の平面図である。
図３において、建物Ａの中心には、３基のエレベーター１が設置され、建物Ａの外周側部分には、居室Ｂが周方向に多数個設けられている。
居室Ｂは、建物Ａの中心点から延ばした半径上をなぞる壁２によって仕切って、建物Ａの外周側部分に並んで設けられている。
従って各居室Ｂは円柱形状の建物Ａの外周部に設けられているため、全ての居室Ｂが曲面形状部分に形成されることになる。
並んだ居室Ｂの内側には、ぐるりと一回りする通路３が設けられ、その通路３がエレベーター１前の通路４と繋がっている。
エレベーター１と通路３との間は吹き抜けとなっており、通路３と吹き抜けの間には手すり２１が設置されている。
前記したように、各居室Ｂを仕切る壁２は、建物Ａの中心から延びる半径上をなぞるもので、従って建物Ａ中心から外側へ、各壁２が放射状となるよう設けられており、建物Ａ内部側よりも建物Ａ外部側の幅がより大きな、ほぼ扇形の居室Ｂとなっている。
居室Ｂは、建物内部の通路から、ドア５を開けて出入り可能であって、建物Ａ外側の壁には、窓６が開口している。
窓６は、出窓であって、室内空間を広く感じさせる工夫となっている。
【０００９】
＜２＞配置
左右の壁２・２のうち、一方の壁２ａ（図１では右側）側には、仕切り壁７によって仕切られて、部屋入り口側から部屋奥側に向って、順にトイレ空間８とバス空間９が設けられている。
トイレ空間８及びバス空間９と、その他の空間との間は、仕切り壁１０によって仕切られている。
トイレ空間７及びバス空間８と、他の空間とを仕切る壁１０から、他方の壁２ｂ（図１では左側）までは、寝台空間１１と通路空間１２になっている。
【００１０】
＜３＞トイレ空間
トイレ空間８内には、便器１３が設置されている。
トイレ空間８には、開口部に設けた折れ戸１４を開閉して出入りする。
トイレ空間８のドア５側には、壁２ａ面に沿って設けられたパイプスペースの手前に、ロッカースペース２２が形成されている。
【００１１】
＜４＞バス空間
バス空間９内には、洗面台１５とバスタブ１６が設置されている。
洗面台１５は人口大理石カウンター上に取り付けられている。
バスタブ１６は、その長手方向が、居室Ｂの幅方向となるように設置し、すなわち最も部屋奥側の一番幅が大きな部分に、バスタブ１６が収まることになる。
実施の形態では、１３５０ｍｍ以上の長さのバスタブ１６が、居室Ｂの最も奥に収まった。
このように、バスとして比較して小さな空間でよいトイレ空間８を出入り口側へ配置し、比較的大きな、しかも長さが大きなバスタブ１６を収納するバス空間９を、部屋奥側へ配置したため、部屋奥へ行くほど、幅が大きくなるという居室Ｂの特性を活かした配置となっている。
バス空間９は、一部がテンパーガラス製となった仕切り壁１０によって寝台空間１１と仕切られており、その仕切り壁１０の開口部に取付けたテンパーガラス製の開き戸１７から、バス空間９へ出入りする。
このテンパーガラス製の仕切り壁１０や開き戸１７も、空間を広く見せる効果を果たしている。
【００１２】
＜５＞寝台空間
寝台空間１１には、ベッド１８が２台収容されて設置されている。
一方の壁２ａ側に、トイレ空間８とバス空間９が設けられたため、寝台空間１１は、その出入り口側から部屋奥まで、ほぼ同じ幅を有する長方形のスペースとなっており、使い易いスペースとなっている。
実施例では、居室Ｂの広さが全体で１５ｍ2でありながら、その寝台空間１１の中に、幅１２００ｍｍ、長さ２０００mmのベッド１８が２台設置出来た。
更にベッド１８の足元側から、仕切り壁１０との間は、通路空間１２として使用する。
【００１３】
＜６＞執務空間
居室Ｂの室外側の窓６の下には、一端側が徐々に奥行きが大きくなるよう円弧状曲線を描く、集成材ポリウレタン仕上げのカウンター１９を設置した。
このカウンター１９に向って椅子２０などを配置する。
このカウンター１９に近い通路空間１２は、仕事や学習のための執務空間としても兼用されることになる。
【図面の簡単な説明】
【００１４】
【図１】居室の平面図である。
【図２】居室の概観図である。
【図３】建物の一部階の平面図である。
【００１５】
Ａ：建物
Ｂ：居室
１：エレベーター
２：壁
３：通路
４：通路
５：ドア
６：窓
７：仕切り壁
８：トイレ空間
９：バス空間
１０：仕切り壁
１１：寝台空間
１２：通路空間
１３：便器
１４：折れ戸
１５：洗面台
１６：バスタブ
１７：開き戸
１８：ベッド
１９：カウンター
２０：椅子
２１：手すり
２２：ロッカースペース
【図１】
0003136233.tif 000003
【図２】
0003136233.tif 000004
【図３】
0003136233.tif 000005